(57)【要約】【課題】収納ケースを重ねたり、収納ケースに蓋を取り付けたりする場合に邪魔にならない把手構造を備えた分割ボックスを提供すること。【解決手段】収納ケース１１０の内部空間を上下に分割するために、鍔部１０１を引っかけて収納ケース１１０の内部に収納される分割ボックス１００であって、側壁１０２には、レール機構１０５と、このレール機構１０５に沿って上下方向に変位可能な把手本体１０４と、を備え、把手本体１０４を側壁１０２の上端部１０２ａよりも上方に突出している第一の位置と、把手本体１０４を側壁１０２の上端部１０２ａよりも上方に突出していない第二の位置と、に変位させることができるようにしたことを特徴とする分割ボックス１００を提供する。【選択図】図１
0003097273.tif 000002
【実用新案登録請求の範囲】
【請求項１】
少なくとも壁面と底面とを備える収納ケースの内部空間を上下に分割するために、底部と、側壁と、前記側壁の上端側に形成された鍔部と、を備え、前記底部が下方に位置するように、前記壁面の上端に前記鍔部を引っかけ、前記収納ケースの内部に収納される分割ボックスであって、
前記側壁には、レール機構と、前記レール機構に沿って上下方向に変位可能な把手本体と、を備える把手構造であって、前記把手本体を前記側壁の上端よりも上方に突出している第一の位置と、前記把手本体を前記側壁の上端よりも上方に突出していない第二の位置と、に変位させることができるものが設けられていることを特徴とする分割ボックス。
【請求項２】
前記把手本体は、一対の柱部と、一対の前記柱部の上端側を連結する連結部と、一対の前記柱部の下端側において他方の前記柱部とは反対側に突出する突出部と、を備え、
前記レール機構は、上端と下端においてスペーサー部を介して前記側壁に取り付けることで、前記側壁との間に所定の間隙が空くようにされたレール部材を二つ所定の間隔を離して上下方向に平行となるように配置することにより構成されており、
前記把手本体は、前記間隙に前記突出部を挿入することにより、上下方向に変位可能にされており、前記突出部が前記レール部材の下端に設けられている前記スペーサー部に接触している前記第二の位置から、前記連結部を上方に引っ張ることにより前記第一の位置に変位されるものであることを特徴とする請求項１に記載の分割ボックス。
【請求項３】
前記レール機構は、前記側壁の内側面に取り付けられていることを特徴とする請求項２に記載の分割ボックス。
【請求項４】
前記レール機構は、前記側壁の外側面に取り付けられており、
前記把手本体が前記第二の位置にある場合に、前記連結部が露出するように、
前記側壁の上端から前記側壁に切り欠き部を形成することにより、前記側壁の内側から前記連結部に手をかけることができるようにしたことを特徴とする請求項３に記載の分割ボックス。
【請求項５】
前記把手本体は、一対の柱部と、一対の前記柱部の上端側を連結する連結部と、一対の前記柱部の下端側において他方の前記柱部とは反対側に突出する突出部と、を備え、
前記レール機構は、前記側壁の上端を前記側壁の外側に湾曲することにより形成されたスペーサー部と、前記スペーサー部の前記側壁とは反対側の端部を前記壁面から所定の間隙を離して下方に湾曲することにより形成されたレール部と、前記レール部の前記スペーサー部とは反対側の端部を湾曲することにより形成されたストッパー部と、を所定の間隔を離して縦方向に平行となるように二つずつ形成することにより構成されており、
前記把手本体は、前記間隙に前記突出部を挿入することにより、上下方向に変位可能にされており、前記突出部が前記ストッパー部に接触した第二の位置から、前記連結部を上方に引っ張ることにより前記第一の位置に変位されるものであることを特徴とする請求項１に記載の分割ボックス。
【請求項６】
前記把手本体は、一対の柱部と、一対の前記柱部の上端側を連結する第一の連結部と、一対の前記柱部の下端側を連結する第二の連結部と、一対の前記柱部の下端側において他方の前記柱部とは反対側に突出する突出部と、を備え、
前記レール機構は、前記側壁の上端を前記側壁の外側に湾曲することにより形成されたスペーサー部と、前記スペーサー部の前記側壁とは反対側の端部を前記壁面から所定の間隙を離して下方に湾曲することにより形成されたレール部と、を所定の間隔を離して縦方向に平行となるように二つずつ形成することにより構成されており、
前記側壁には、前記第二の連結部の下面に接触することにより、前記把手本体を前記第二の位置に保持するストッパーが形成されており、
前記把手本体は、前記間隙に前記突出部を挿入することにより、上下方向に変位可能にされており、前記第二の連結部が前記ストッパーに接触した第二の位置から、前記連結部を上方に引っ張ることにより前記第一の位置に変位されるものであることを特徴とする請求項１に記載の分割ボックス。
【請求項７】
前記把手本体が前記第二の位置にある場合に、前記連結部が露出するように、前記側壁の上端から前記側壁に切り欠き部を形成することにより、前記側壁の内側から前記連結部に手をかけることができるようにしたことを特徴とする請求項６に記載の分割ボックス。
【請求項８】
前記把手構造は、前記側壁の相対向する位置に二つ設けられていることを特徴とする請求項１乃至７の何れか一項に記載の分割ボックス。
【請求項９】
請求項１乃至８の何れか一項に記載の分割ボックスを備えたことを特徴とする前記収納ケース。
【考案の詳細な説明】
【０００１】
【考案の属する技術分野】
本考案は、衣料等を収納する収納ケースの内部空間を上下方向に分割する分割ボックスに関する。
【０００２】
【従来の技術】
従来から、衣料等を収納する収納ケースの内部空間を上下方向に分割するための分割ボックスが使用されているが、このような分割ボックスとしては、例えば、特開平７−２７７３４０号公報に記載されたものがあった。
【０００３】
ここで、図９に表されているように、特開平７−２７７３４０号公報に記載された分割ボックス５００は、鍔部５０１と、側壁５０２と、底部５０３と、を備え、壁面５１１と底面５１２とを備える収納ケース５１０の上縁部５１３に鍔部５０１を載置することにより、収納ケース５１０の内部空間を上下に分割することができるようにしていた。
【０００４】
【考案が解決しようとする課題】
しかしながら、従来の分割ボックス５００には、把手がついていなかったため、収納ケース５１０に分割ボックス５００を取り付けたり、収納ケース５１０から分割ボックス５００を取り外したりする作業は、鍔部５０１や側壁５０２等に手をかけることによって行っていたため、不便であった。
【０００５】
また、単に、分割ボックス５００に把手を形成しただけでは、収納ケース５１０を重ねたり、収納ケース５１０に蓋を取り付けたりする場合に邪魔になってしまう。
【０００６】
そこで、本考案は、収納ケースを重ねたり、収納ケースに蓋を取り付けたりする場合に邪魔にならない把手構造を備えた分割ボックスを提供することを目的とする。
【０００７】
【課題を解決するための手段】
以上の課題を解決するため、本考案は、少なくとも壁面と底面とを備える収納ケースの内部空間を上下に分割するために、底部と、側壁と、前記側壁の上端側に形成された鍔部と、を備え、前記底部が下方に位置するように、前記壁面の上端に前記鍔部を引っかけ、前記収納ケースの内部に収納される分割ボックスであって、前記側壁には、レール機構と、前記レール機構に沿って上下方向に変位可能な把手本体と、を備える把手構造であって、前記把手本体を前記側壁の上端よりも上方に突出している第一の位置と、前記把手本体を前記側壁の上端よりも上方に突出していない第二の位置と、に変位させることができるものが設けられていることを特徴とする分割ボックスを提供する。
【０００８】
このように、分割ボックスの側壁にレール機構を設け、このレール機構に沿って、把手本体を上下方向に変位可能にし、この把手本体が側壁の上端よりも上方に突出している第一の位置と、この把手本体が側壁の上端よりも上方に突出していない第二の位置をとることができるようにすることで、この分割ボックスを収納ケースに取り付けたり、この収納ケースから取り外したりする場合には、把手本体を第一の位置におき、その後把手本体を第二の位置におくことにより、分割ボックスを取り付けた状態で、この収納ケースを積み重ねたり、この収納ケースに蓋を取り付けることができるようになる。
【０００９】
ここで、前記把手本体は、一対の柱部と、一対の前記柱部の上端側を連結する連結部と、一対の前記柱部の下端側において他方の前記柱部とは反対側に突出する突出部と、を備え、前記レール機構は、上端と下端においてスペーサー部を介して前記側壁に取り付けることで、前記側壁との間に所定の間隙が空くようにされたレール部材を二つ所定の間隔を離して上下方向に平行となるように配置することにより構成されており、前記把手本体は、前記間隙に前記突出部を挿入することにより、上下方向に変位可能にされており、前記突出部が前記レール部材の下端に設けられている前記スペーサー部に接触している前記第二の位置から、前記連結部を上方に引っ張ることにより前記第一の位置に変位されるものにより把手構造を構成することができる。
【００１０】
また、このようなレール機構を、分割ボックスの側壁の内側面に取り付けることにより、把手本体も側壁の内側面に取り付けられることとなり、分割ボックスを収納ケースに収納した状態で把手本体を変位させることができ、便利である。
【００１１】
さらに、このようなレール機構を、分割ボックスの側壁の外側面に取り付けた場合には、把手本体が第二の位置にある場合に、把手本体の連結部が露出するように、分割ボックスの側壁の上端からこの側壁に切り欠き部を形成することにより、分割ボックスの側壁の内側から把手本体の連結部に手をかけることができるようになり便利である。
【００１２】
また、前記把手本体は、一対の柱部と、一対の前記柱部の上端側を連結する連結部と、一対の前記柱部の下端側において他方の前記柱部とは反対側に突出する突出部と、を備え、前記レール機構は、前記側壁の上端を前記側壁の外側に湾曲することにより形成されたスペーサー部と、前記スペーサー部の前記側壁とは反対側の端部を前記壁面から所定の間隙を離して下方に湾曲することにより形成されたレール部と、前記レール部の前記スペーサー部とは反対側の端部を湾曲することにより形成されたストッパー部と、を所定の間隔を離して縦方向に平行となるように二つずつ形成することにより構成されており、前記把手本体は、前記間隙に前記突出部を挿入することにより、上下方向に変位可能にされており、前記突出部が前記ストッパー部に接触した第二の位置から、前記連結部を上方に引っ張ることにより前記第一の位置に変位されるものにより把手構造を構成することができる。
【００１３】
また、前記把手本体は、一対の柱部と、一対の前記柱部の上端側を連結する第一の連結部と、一対の前記柱部の下端側を連結する第二の連結部と、一対の前記柱部の下端側において他方の前記柱部とは反対側に突出する突出部と、を備え、前記レール機構は、前記側壁の上端を前記側壁の外側に湾曲することにより形成されたスペーサー部と、前記スペーサー部の前記側壁とは反対側の端部を前記壁面から所定の間隙を離して下方に湾曲することにより形成されたレール部と、を所定の間隔を離して縦方向に平行となるように二つずつ形成することにより構成されており、前記側壁には、前記第二の連結部の下面に接触することにより、前記把手本体を前記第二の位置に保持するストッパーが形成されており、前記把手本体は、前記間隙に前記突出部を挿入することにより、上下方向に変位可能にされており、前記第二の連結部が前記ストッパーに接触した第二の位置から、前記連結部を上方に引っ張ることにより前記第一の位置に変位されるものにより把手構造を構成することができる。
【００１４】
このように、レール機構を、分割ボックスの側壁の外側面に取り付けた場合には、把手本体の連結部が露出するように、側壁の上端から側壁に切り欠き部を形成することにより、分割ボックスの側壁の内側から把手本体の連結部に手をかけることができるようになり便利である。
【００１５】
以上に記載した把手構造を、分割ボックスの側壁の相対向する位置に二つ設けることにより、分割ボックスを両手で持ち上げることができ便利である。
【００１６】
なお、以上に記載した分割ボックスは、分割ボックス単体で提供することも可能であるが、収納ケースとセットとして手依拠することもできる。
【００１７】
【考案の実施の形態】
図１は、本考案の第一の実施形態に係る分割ボックス１００及び収納ケース１１０の上方斜視図である。
【００１８】
本実施形態に係る分割ボックス１００は、鍔部１０１と、側壁１０２と、底部１０３と、把手構造としての把手本体１０４及びレール機構１０５と、により構成されている。
【００１９】
また、収納ケース１１０は、壁面１１１と、底面１１２と、により構成されている。
【００２０】
分割ボックス１００は、矩形状に形成された底部１０３の周囲を側壁１０２により囲むことで、箱状に形成されており、これらの底部１０３及び側壁１０２により囲まれた空間内に衣料や靴等の物を収納することができるようにされている。
【００２１】
そして、分割ボックス１００は、底部１０３が下方に位置するようにして、壁面１１１と底面１１２とにより構成される収納ケース１１０の内部に挿入される。
【００２２】
従って、分割ボックス１００の底部１０３の大きさ・形状については、収納ケース１１０の内部に挿入することができる大きさ・形状となるように適時選択する必要がある。
【００２３】
また、側壁１０２の高さＬについても、収納ケース１１０の内部の空間を上下に分割する必要から、収納ケース１１０の壁面１１１の内部の高さＭよりも小さくされている。
【００２４】
なお、側壁１０２の高さＬを壁面１１１の内部の高さＭよりどの程度小さく形成するかは、収納ケース１１０の内部空間を上下にどの程度の割合で分割するかにより、適時選択することができる設計事項である。
【００２５】
例えば、側壁１０２の高さＬを壁面１１１の内部の高さＭに近づければ近づけるほど分割ボックス１００の収納容積は増えるが、収納ケース１１０の収納容積は少なくなる。
【００２６】
この点、本実施形態では、側壁１０２の高さＬは、壁面１１１の内部の高さＭの半分となるように形成することで、この分割ボックス１００により、収納ケース１１０の内部空間を上下にほぼ二分するようにしている。
【００２７】
また、分割ボックス１００の側壁１０２の上端部１０２ａには、水平方向であって分割ボックス１００の外部の方向に向かって凸となるように鍔部１０１が形成されている。
【００２８】
この鍔部１０１の大きさ・形状については、分割ボックス１００を収納ケース１１０の内部に挿入した際に、収納ケース１１０の壁面１１１の上端部１１１ａに引っかけることで、分割ボックス１００の底部１０３が収納ケース１１０の底面１１２に接触しないで、収納ケース１１０の内部の空間を分割する状態を保持することができる範囲で適時選択して形成すればよい。
【００２９】
分割ボックス１００の幅方向の側壁１０２の内側面１０２ｂには、把手本体１０４及びレール機構１０５からなる把手構造が、それぞれ相対向する内側面１０２ｂに二つ設けられている。
【００３０】
把手本体１０４は、図２に表されているように一対の柱部１０４ａと、これらの一対の柱部１０４ａの上端側を連結する連結部１０４ｂと、一対の柱部１０４ａの下端側において他方の柱部１０４ａとは反対側に突出する突出部１０４ｃと、により構成されている。
【００３１】
レール機構１０５は、図３に表されているように、二つのレール部１０５ａが上下方向に平行となるように、レール部１０５ａの両端をスペーサー部１０５ｂを介して側壁１０２に取り付けることにより構成されている。
【００３２】
また、レール機構１０５の間の間隔Ｎは、図２に表されているように、把手本体１０４の柱部１０４ａの最も外側の間隔Ｐよりも大きく、突出部１０４ｃの最も外側の間隔Ｑよりも小さくなるようにされている。
【００３３】
このようにレール機構１０５を構成することにより、上下方向に平行となるように配置されているレール部１０５ａと側壁１０２との間には、間隙１０６が生じ、この間隙１０６に把手本体１０４の突出部１０４ｃを挿入することにより、把手本体１０４は、レール部１０５ａに沿って、上下方向に変位可能になる。
【００３４】
また、レール機構１０５は、図２に表されているように、把手本体１０４の突出部１０４ｃがレール部１０５ａの下端側に設けられているスペーサー部１０５ｂに接触している際に、連結部１０５ｂが側壁１０２の上端部１０２ａよりも上方に突出しないようにしているため、分割ボックス１００を収納した収納ケース１１０を重ねる場合や、分割ボックス１００を収納した収納ケース１１０に蓋をする場合に把手本体１０４が邪魔にならない。
【００３５】
なお、把手本体１０４は、レール部１０５ａに沿って、上下に変位可能にされているため、連結部１０４ｂを上方に引っ張ることにより、把手本体１０４を側壁１０２の上端部１０２ａよりも上方に突出させることができ、この把手本体１０４に手をかけることができるようになる。
【００３６】
図４は、本考案の第二の実施形態に係る分割ボックス２００の上方斜視図である。
【００３７】
本実施形態に係る分割ボックス２００は、鍔部２０１に係合部２０１ａが設けられている点、把手構造としての把手本体１０４及びレール機構１０５が、分割ボックス２００の側壁２０２の外側面２０２ｃに設けられている点、および、分割ボックス２００の側壁２０２に切り欠き部２０７が設けられている点、を除いて第一の実施形態に係る分割ボックス１００と同様に構成されているため、以下、相異点のみを説明する。
【００３８】
本実施形態に係る分割ボックス２００の鍔部２０１には、分割ボックス２００の側壁とは反対側の端部から下方に突出する係合部２０１ａが設けられている。
【００３９】
この係合部２０１ａについては、図５に表されているように、収納ケース１１０の壁面１１１の上端部１１１ａに鍔部２０１を引っ掛けた際に、分割ボックス２００の側壁２０２と係合部２０１ａとの間の間隔Ｒに壁面１１１を挟み込むことができるようにしている。
【００４０】
このようにな係合部２０１ａを設けることにより、分割ボックス２００が収納ケース１１０から容易に外れてしまうことがなくなる。
【００４１】
本実施形態に係る分割ボックス２００では、側壁２０２の外側面２０２ｃに把手本体１０４及びレール機構１０５が設けられている。
【００４２】
ここで、把手本体１０４やレール機構１０５自体やその配置は、第一の実施形態に係る分割ボックス１００と同様であり、側壁１０２の内側面１０２ｂに取り付けられていた把手本体１０４やレール機構１０５は、側壁２０２を挟んで対称となる外側面２０２ｂの位置に取り付けている。
【００４３】
このように、把手本体１０４及びレール機構１０５を側壁２０２の外側面２０２ｃに取り付けた場合、この分割ボックス２００を図１に表されている収納ケース１１０の内部に収納すると、把手本体１０４が分割ボックス２００の側壁２０２と収納ケース１１０の側面１１１との間に挟まれてしまい、把手本体１０４に手をかけることができなくなってしまうため、本実施形態では、把手本体１０４の突出部１０４ｃがレール部１０５ａの下端側に取り付けられているスペーサー部１０５ｂに接触した位置にある場合に、連結部１０４ｂが露出するように、側壁２０２の上端部２０２ａから切り欠き部２０７を形成している。
【００４４】
この切り欠き部２０７の大きさ・形状については、把手本体１０４の突出部１０４ｃがレール部１０５ａの下端側のスペーサー部１０５ｂに接触した位置にある場合に、連結部１０４ｂを露出することができる範囲で適時選択することができる設計事項である。
【００４５】
このように、本実施形態では、把手本体１０４の突出部１０４ｃがレール部１０５ａの下端側のスペーサー部１０５ｂに接触した位置にある場合に、連結部１０４ｂが露出するように、側壁２０２の上端部２０２ａから切り欠き部２０７を形成しているため、この分割ボックス２００を図１に表されている収納ケース１１０の内部に収納した場合でも、側壁２０２の外側面２０２ｃに設けられている把手本体１０４に手をかけることができるようになる。
【００４６】
図６は、本考案の第三の実施形態に係る分割ボックス３００の上方斜視図である。
【００４７】
本実施形態に係る分割ボックス３００は、第一の実施形態に係る分割ボックス１００と比べて、鍔部３０１の形状、レール機構３０５の構造及び切り欠き部３０７の形成といった点で異なるため、これらについてのみ説明する。
【００４８】
第一の実施形態に係る鍔部１０１は、レール機構１０５が取り付けられていない側壁１０２の上端部１０２ａから外側に突出するように設けられているが、本実施形態における鍔部３０１は、レール機構３０５が設けられている側壁３０２にも設けられており、後述するレール機構３０５のスペーサー部３０５ｂに連続するように形成されている。
【００４９】
また、本実施形態における鍔部３０１には、上述した第二の実施形態に係る鍔部２０１の係合部２０１ａと同様に、下方に突出する係合部３０１ａが設けられており、この係合部３０１ａと側壁３０２との間に収納ケース１１０の壁面１１１を挟み込むことができるようにされている。
【００５０】
本実施形態におけるレール機構３０５は、図７に表されているように、分割ボックス３００の側壁３０２の上端３０２ａを水平方向であって、分割ボックス３００の外側の方向に湾曲させることにより、スペーサー部３０５ｂを形成し、スペーサー部３０５ｂの側壁３０２とは反対方向の先端部を下方に湾曲させることによりレール部３０５ａを形成し、レール部３０５ａのスペーサー部３０５ｂとは反対側の先端を側壁３０２側に湾曲させることによりストッパー部３０５ｃを形成して、側壁３０２との間に間隙３０６を設けている。
【００５１】
そして、これらのスペーサー部３０５ｂ、レール部３０５ａ及びストッパー部３０５ｃを上下方向に平行となるように分割ボックス３００の側壁３０２の外側面３０２ｃに二つ設けることにより、間隙３０６に把手本体１０４の突出部１０４ｃを挿入して、把手本体１０４を上下方向に変位可能にしている。
【００５２】
なお、本実施形態でも、これらのレール機構３０５の間の間隔は、図２に表されている第一の実施形態と同様、把手本体１０４の柱部１０４ａの最も外側の間隔Ｐよりも大きく、突出部１０４ｃの最も外側の間隔Ｑよりも小さくなるようにされている。
【００５３】
また、本実施形態においては、図７に表されているように、側壁３０２からレール部３０５ａに向かって凸となるように係合用突起３１４が設けられており、把手本体１０４の突出部１０４ｃをこの係合用突起３１４を越えるように上方に引っ張ることで、突出部１０４ｃがこの係合用突起３１４に引っかかるようにすることで、把手本体１０４が側壁３０２の上端部３０２ａよりも上方に突出した第一の位置に保持することができるようにしている。
【００５４】
なお、係合用突起３１４の形状及び大きさ、係合用突起３１４を設ける位置については、把手本体１０４を第一の位置に保持することができる範囲で適時選択することができる。
【００５５】
また、把手本体１０４の突出部１０４ｃがストッパー部３０５ｃに接触した位置にあるときに、把手本体１０４は、側壁３０２の上端３０２ａよりも上方に突出しないようにすることで、分割ボックス３００を収納した収納ケース１１０（図１参照）を重ねる場合や、分割ボックス１００を収納した収納ケース１１０に蓋をする場合に把手本体１０４が邪魔にならない。
【００５６】
ここで、本実施形態のように、把手本体１０４及びレール機構３０５を側壁３０２の外側面３０２ｃに取り付けた場合には、この分割ボックス３００を図１に表されている収納ケース１１０の内部に収納すると、把手本体１０４に手をかけることができなくなってしまうため、本実施形態では、把手本体１０４の突出部１０４ｃがストッパー部３０５ｃに接触した位置にあるときに、把手本体１０４の連結部１０４ｂが露出するように、側壁３０２の上端部３０２ａから切り欠き部３０７を形成している。
【００５７】
この切り欠き部３０７の大きさ・形状については、把手本体１０４の突出部１０４ｃがストッパー部３０５ｃに接触した位置にある場合に、少なくとも連結部１０４ｂが露出する範囲で適時選択することができる設計事項である。
【００５８】
このように、本実施形態では、把手本体１０４の突出部１０４ｃがストッパー部３０５ｃに接触した位置にある場合に、連結部１０４ｂが露出するように、側壁３０２の上端部３０２ａから切り欠き部３０７を形成しているため、この分割ボックス３００を図１に表されている収納ケース１１０の内部に収納した場合でも、側壁３０２の外側面３０２ｃに設けられている把手本体１０４に手をかけることができるようになる。
【００５９】
図８は、本考案の第四の実施形態に係る分割ボックス４００の上方斜視図である。
【００６０】
本実施形態に係る分割ボックス４００は、把手構造としての把手本体４０４及びレール機構４０５の形状、分割ボックス４００の側壁４０２に設けられているストッパー４０８、を除いて第三の実施形態に係る分割ボックス３００と同様に構成されているため、以下、相異点のみを説明する。
【００６１】
本実施形態に係る分割ボックスに使用されている把手本体４０４は、一対の柱部４０４ａと、これらの一対の柱部４０４ａの上端側を連結する第一の連結部４０４ｄと、一対の柱部４０４ａの下端側を連結する第二の連結部４０４ｅと、一対の柱部４０４ａの下端側において他方の柱部４０４ａとは反対側に突出する突出部４０４ｃと、により構成されている。
【００６２】
すなわち、一対の柱部４０４ａの下端側を連結する第二の連結部４０４ｅを設けている点で、他の実施形態に係る把手本体１０４とは異なっている。
【００６３】
この第二の連結部４０４ｅは、後述するストッパー４０８に引っかかることで、把手本体４０４を側壁４０２の上端部４０２ａから突出していない第二の位置に保持しておくためのものである。
【００６４】
本実施形態におけるレール機構４０５は、分割ボックス４００の側壁４０２の上端４０２ａを水平方向であって、分割ボックス４００の内部の方向に湾曲させることにより、スペーサー部４０５ｂを形成し、スペーサー部４０５ｂの側壁４０２とは反対方向の先端部を下方に湾曲させることによりレール部４０５ａを形成することにより構成されている。
【００６５】
すなわち、第三の実施形態に係るレール機構３０５が、ストッパー部３０５ｃを形成しているのに対して、本実施形態では、このようなストッパー部３０５ｃを形成していない。
【００６６】
これは、後述するように、側壁４０２に別途ストッパー４０８を形成することにより、把手本体４０４を第二の位置に保持するようにしたためである。
【００６７】
なお、本実施形態におけるレール機構４０５は、ストッパー部３０５ｃが設けられていない点以外は第三の実施形態に係るレール機構３０５と同様の構成を有している。
【００６８】
本実施形態に係るレール機構４０５では、第三の実施形態に係るレール機構３０５とは異なり、ストッパー部３０５ｃを形成する代わりに、側壁４０２にストッパー４０８を形成している。
【００６９】
ストッパー４０８は、切り欠き部３０７の下端部を分割ボックス４００の外部方向に湾曲させることにより形成し、ストッパー４０８の大きさ・形状については、把手本体４０４の第二の連結部４０４ｅに引っかかり、把手本体４０４を第二の位置に保持することができる範囲で適時選択することができる設計事項である。
【００７０】
【考案の効果】
以上のように、本考案によれば、収納ケースを重ねたり、収納ケースに蓋を取り付けたりする場合に邪魔にならない把手構造を備えた分割ボックスを提供することができる。
【図面の簡単な説明】
【図１】第一の実施形態に係る分割ボックス１００及び収納ケース１１０の上方斜視図。
【図２】把手本体１０４及びレール機構１０５の正面図。
【図３】レール機構１０５の上方斜視図。
【図４】第二の実施形態に係る分割ボックス２００の上方斜視図。
【図５】分割ボックス２００を収納ケース１１０に収納した際の鍔部２０１の状態を表す縦断面図。
【図６】第三の実施形態に係る分割ボックス３００の上方斜視図。
【図７】レール機構３０５の側面図
【図８】第三の実施形態に係る分割ボックス４００の上方斜視図。
【図９】従来の分割ボックス５００及び収納ケース５１０の上方斜視図。
【符号の説明】
１００、２００、３００、４００　分割ボックス
１０１、２０１、３０１　鍔部
１０２、２０２、３０２、４０２　側壁
１０３　底部
１０４、４０４　把手本体
１０５、３０５、４０５　レール機構
１０６、３０６　間隙
２０７、３０７　切り欠き部
４０８　ストッパー
【図１】
0003097273.tif 000003
【図２】
0003097273.tif 000004
【図３】
0003097273.tif 000005
【図４】
0003097273.tif 000006
【図５】
0003097273.tif 000007
【図６】
0003097273.tif 000008
【図７】
0003097273.tif 000009
【図８】
0003097273.tif 000010
【図９】
0003097273.tif 000011
【手続補正書】
【提出日】平成15年4月25日(2003.4.25)
【手続補正１】
【補正対象書類名】図面
【補正対象項目名】全図
【補正方法】変更
【補正の内容】
【図１】
0003097273.tif 000012
【図２】
0003097273.tif 000013
【図３】
0003097273.tif 000014
【図４】
0003097273.tif 000015
【図５】
0003097273.tif 000016
【図６】
0003097273.tif 000017
【図７】
0003097273.tif 000018
【図８】
0003097273.tif 000019
【図９】
0003097273.tif 000020